(57)【要約】【課題】ハンディターミナルと変換ボックスを一体化するハンディターミナル用接続具を提供する。【解決手段】接続具１０は、直方体状の筐体７１の正面に配置した操作部７２及び表示部７３を有するハンディターミナル７と、計量器９とケーブル接続し、ハンディターミナル７とケーブル接続する直方体状の変換ボックス８と、を着脱自在に固定する。接続具１０は、Ｃ型チャンネル状のケース１、複数のねじ止め部材２、及びグリップバンド３を備える。ケース１は、ハンディターミナル７と変換ボックス８とを長手方向に連設すると共に、ハンディターミナル７と変換ボックス８を部分的に収容できる。複数のねじ止め部材２は、ケース１の両翼に螺合し、ハンディターミナル７の両側面及び変換ボックス８の両側面を挟持できる。グリップバンド３は、ケース１の背面に長手方向に沿って取り付け、片手を挿通できる。【選択図】図１
2014224721.tif 000002
【特許請求の範囲】
【請求項１】
直方体状の筐体の正面に配置した操作部及び表示部を有するハンディターミナルと、計量器とケーブル接続し、前記ハンディターミナルとケーブル接続する直方体状の変換ボックスと、を着脱自在に固定するハンディターミナル用接続具であって、
前記ハンディターミナルと前記変換ボックスとを長手方向に連設すると共に、前記ハンディターミナルと前記変換ボックスを厚さ方向から部分的に収容するＣ型チャンネル状のケースと、
前記ケースの両翼に螺合し、前記ハンディターミナルの両側面及び前記変換ボックスの両側面を挟持する複数のねじ止め部材と、
前記ケースの背面に長手方向に沿って取り付け、片手を挿通可能なグリップバンドと、を備えるハンディターミナル用接続具。
【請求項２】
前記ねじ止め部材は、
前記ケースの両翼に螺合するねじ部材と、
このねじ部材の先端部に回動自在に連結し、前記ハンディターミナルの両側面及び前記変換ボックスの両側面に当接する円柱状のゴム部材と、を有する請求項１記載のハンディターミナル用接続具。
【請求項３】
前記ケースは、成形された合成樹脂からなる請求項１又は２記載のハンディターミナル用接続具。
【発明の詳細な説明】
【技術分野】
【０００１】
本発明は、ハンディターミナル用接続具に関する。特に、変換ボックスを介して、計量器にケーブル接続するハンディターミナルと変換ボックスを着脱自在に接続するハンディターミナル用接続具の構造に関する。
【背景技術】
【０００２】
一般家庭における電気の使用料金は、電力使用量により定められている。この電力使用量は、各家庭に設置された計量器（電力量計）の指示値を検針員が定期的に検針することで、計量されている。そして、電力使用量及び電力使用料金が需要家に通知されている。
【０００３】
このような電力使用量システムでは、計量器にハンディターミナルを接続し、計量器に記憶された検針値をハンディターミナルが取得して計量情報として記憶している。そして、この計量情報をホストコンピュータに送信し、ホストコンピュータは、計量情報を含む電子メールを需要家に送信する使用量管理システムが開示されている（例えば、特許文献１参照）。
【０００４】
又、計量器の指示値を検針員がハンディターミナルに入力し、このハンディターミナルにより、当月の電力使用量及び電力使用料金などを算定し、更に、ハンディターミナルに接続したプリンタで電力使用料金などが記載された検針票を印刷し、この検針票を需要家に渡すことも実施されている。
【０００５】
上記の態様では、検針員が各需要家を巡回するにあたり、ハンディターミナル及びプリンタの他に、予備電池、プリンタ補充印刷用紙、筆記具、照明器具、及び確認鏡などを携帯する必要があることから、これらの検針用機器を腰ベルト及び肩掛ベルトに最適に配置して、検針員の移動を容易にした検針作業用ベルトが開示されている（例えば、特許文献２参照）。
【先行技術文献】
【特許文献】
【０００６】
【特許文献１】特開２０１０−２８２４９４号公報
【特許文献２】特開２００７−１３１９８４号公報
【発明の概要】
【発明が解決しようとする課題】
【０００７】
ところで、大口需要家に対しては、時間帯及び曜日によって電力使用料金が変動する電気料金メニューが電力会社から提供されている。この場合、ハンディターミナルを用いて、大口需要家に設置された計量器（電力量計）に電気料金メニューのデータを入力している。大口需要家に設置された計量器は、一般家庭に設置された、電力量のみを計量する電力量計と異なり、多数の計測値を計量できる電力需給用複合計器と呼ばれている。
【０００８】
図６は、従来の電力需給用複合計器及びハンディターミナルの配置例を示す図である。図６を参照すると、電力需給用複合計器（以下、計量器と呼ぶ）９は、変換ボックス８を介して、ハンディターミナル７にケーブル接続している。
【０００９】
図６を参照すると、計量器９と変換ボックス８とは、第１のケーブルｗ１で接続している。変換ボックス８とハンディターミナル７とは、第２のケーブルｗ２で接続している。ハンディターミナル７は、合成樹脂などで成形された直方体状の筐体７１で外殻を構成している。そして、ハンディターミナル７は、操作部７２及び表示部７３を表面（正面）７ａ側に配置している。表示部７３の側面には、第２のケーブルｗ２の端末に設けたコネクタｃｎ１を接続している。
【００１０】
図６を参照して、操作部７２に設置したボタンを操作することで、変換ボックス８を介して、電気料金メニューのデータを計量器９に入力できる。変換ボックス８は、直方体状の筐体８１の内部に電子部品を備えている。変換ボックス８の下面には、第２のケーブルｗ２の端末に設けたコネクタｃｎ２を接続している。変換ボックス８は、ハンディターミナル７からの出力電圧・出力電流を計量器９に適合する電圧・電流に変換でき、計量器９からの出力電圧・出力電流をハンディターミナル７に適合する電圧・電流に変換できる。
【００１１】
しかしながら、図６を参照して、ハンディターミナル７を用いて、電気料金メニューのデータを計量器９に入力する場合には、変換ボックス８を載置する場所を探し出すのが困難であるという問題があった。
【００１２】
図６を参照して、操作部７２に設置したボタンを操作するためには、ハンディターミナル７を一方の片手で把持して、他方の片手でボタンを操作する必要があるため、変換ボックス８を載置するスペースを探して、ハンディターミナル７を操作している。この場合、第２のケーブルｗ２に引きずられて、変換ボックス８を落下させてしまうことがあった。又、変換ボックス８の落下に起因して、変換ボックス８を故障又は損傷させることがあった。
【００１３】
ハンディターミナルを用いて、電気料金メニューのデータを計量器に入力する場合に、ハンディターミナルにケーブル接続された変換ボックスが容易に落下しないと共に、ハンディターミナルの操作が容易な器具が求められている。そして、以上のことが本発明の課題といってよい。
【００１４】
本発明は、このような課題に鑑みてなされたものであり、ハンディターミナルにケーブル接続された変換ボックスが容易に落下しないと共に、ハンディターミナルの操作が容易なハンディターミナル用接続具を提供することを目的とする。
【課題を解決するための手段】
【００１５】
本発明者らは、ハンディターミナルと変換ボックスとは、横幅が若干異なるがこれらの厚さが略同じであることに着目し、ハンディターミナルと変換ボックスとを長手方向に連設すると共に、ハンディターミナルと変換ボックスをＣ型チャンネル状のケースに厚さ方向から部分的に収容し、ハンディターミナルと変換ボックスをケースの側面からねじ止めすることで、これらの課題が解決可能なことを見出し、これに基づいて、以下のような新たなハンディターミナル用接続具を発明するに至った。
【００１６】
（１）本発明によるハンディターミナル用接続具は、直方体状の筐体の正面に配置した操作部及び表示部を有するハンディターミナルと、計量器とケーブル接続し、前記ハンディターミナルとケーブル接続する直方体状の変換ボックスと、を着脱自在に固定するハンディターミナル用接続具であって、前記ハンディターミナルと前記変換ボックスとを長手方向に連設すると共に、前記ハンディターミナルと前記変換ボックスを厚さ方向から部分的に収容するＣ型チャンネル状のケースと、前記ケースの両翼に螺合し、前記ハンディターミナルの両側面及び前記変換ボックスの両側面を挟持する複数のねじ止め部材と、前記ケースの背面に長手方向に沿って取り付け、片手を挿通可能なグリップバンドと、を備える。
【００１７】
（２）前記ねじ止め部材は、前記ケースの両翼に螺合するねじ部材と、このねじ部材の先端部に回動自在に連結し、前記ハンディターミナルの両側面及び前記変換ボックスの両側面に当接する円柱状のゴム部材と、を有することが好ましい。
【００１８】
（３）前記ケースは、成形された合成樹脂からなることが好ましい。
【発明の効果】
【００１９】
本発明によるハンディターミナル用接続具は、ハンディターミナルと変換ボックスとを長手方向に連設すると共に、ハンディターミナルと変換ボックスをＣ型チャンネル状のケースに厚さ方向から部分的に収容し、ハンディターミナルと変換ボックスをケースの側面からねじ止めすることで、ハンディターミナルと変換ボックスを一体化でき、変換ボックスの落下を防止できると共に、ハンディターミナルの操作が容易になる。
【図面の簡単な説明】
【００２０】
【図１】本発明の一実施形態によるハンディターミナル用接続具の構成を示す図であり、図１（Ａ）は、ハンディターミナル用接続具の正面図、図１（Ｂ）は、ハンディターミナル用接続具の右側面図、図１（Ｃ）は、ハンディターミナル用接続具の下面図であり、いずれの図もハンディターミナルと変換ボックスを連結した状態図である。
【図２】前記実施形態によるハンディターミナル用接続具の構成を示す斜視図であり、ハンディターミナルと変換ボックスを連結した状態図である。
【図３】前記実施形態によるハンディターミナル用接続具の構成を示す斜視分解組立図である。
【図４】前記実施形態によるハンディターミナル用接続具に備わるねじ止め部材の構成を示す図であり、図４（Ａ）は、ねじ止め部材の縦断面図、図４（Ｂ）は、ねじ止め部材の右側面図、図４（Ｃ）は、ねじ止め部材の左側面図、図４（Ｄ）は、ねじ止め部材の正面図である。
【図５】前記実施形態によるハンディターミナル用接続具に備わるねじ止め部材の構成を示す図であり、図５（Ａ）は、ねじ止め部材の斜視分解組立図、図５（Ｂ）は、一対のねじ止め部材を対向配置した状態図である。
【図６】従来の電力需給用複合計器及びハンディターミナルの配置例を示す図である。
【発明を実施するための形態】
【００２１】
以下、図面を参照して本発明を実施するための形態を説明する。
［ハンディターミナル用接続具の構成］
最初に、本発明の一実施形態によるハンディターミナル用接続具の構成を説明する。
【００２２】
図１は、本発明の一実施形態によるハンディターミナル用接続具の構成を示す図であり、図１（Ａ）は、ハンディターミナル用接続具の正面図、図１（Ｂ）は、ハンディターミナル用接続具の右側面図、図１（Ｃ）は、ハンディターミナル用接続具の下面図であり、いずれの図もハンディターミナルと変換ボックスを連結した状態図である。
【００２３】
図２は、前記実施形態によるハンディターミナル用接続具の構成を示す斜視図であり、ハンディターミナルと変換ボックスを連結した状態図である。図３は、前記実施形態によるハンディターミナル用接続具の構成を示す斜視分解組立図である。なお、従来技術で用いた符号と同じ符号を付した構成品は、その作用を同じとするので、説明を省略することがある。
【００２４】
図１から図３を参照すると、本発明の一実施形態によるハンディターミナル用接続具（以下、接続具と略称する）１０は、Ｃ型チャンネル状のケース１、複数のねじ止め部材２、及びグリップバンド３を備えている。ケース１は、ハンディターミナル７と変換ボックス８とを長手方向に連設すると共に、ハンディターミナル７と変換ボックス８を厚さ方向から部分的に収容できる。
【００２５】
（ケースの構成）
図１から図３を参照すると、ケース１は、成形された合成樹脂からなることが好ましく、金属製の展開板を折り曲げ成形してもよい。そして、ケース１は、ハンディターミナル７の裏面７ｂ側、及び変換ボックス８の裏面８ｂ側から着脱できる。
【００２６】
図３を参照すると、ケース１は、主面１ａと一対の折り曲げ片１ｂ・１ｂを有している。主面１ａは、その表面をハンディターミナル７の裏面７ｂ、及び変換ボックス８の裏面８ｂの当接できる。又、主面１ａの裏面には、主面１ａの長手方向に沿って、グリップバンド３を取り付けている。グリップバンド３には、片手を挿通でき、グリップバンド３に片手を挿通した状態で、ケース１を把持できる。
【００２７】
図３を参照すると、一対の折り曲げ片１ｂ・１ｂは、主面１ａの両翼が略直角に屈曲されて、対向している。一対の折り曲げ片１ｂ・１ｂは、それらの内壁をハンディターミナル７の両側面、及び変換ボックス８の両側面に対向できる（図１又は図２参照）。
【００２８】
図３を参照すると、一対の折り曲げ片１ｂ・１ｂは、外壁側に突出する複数のボス１ｃを設けている。そして、ねじ止め部材２が螺合可能な円柱状の雌ねじ部材１ｄをこれらのボス１ｃに圧入している（図４（Ａ）参照）。
【００２９】
引き続き、実施形態による接続具１０の構成を説明する。図４は、前記実施形態によるハンディターミナル用接続具に備わるねじ止め部材の構成を示す図であり、図４（Ａ）は、ねじ止め部材の縦断面図、図４（Ｂ）は、ねじ止め部材の右側面図、図４（Ｃ）は、ねじ止め部材の左側面図、図４（Ｄ）は、ねじ止め部材の正面図である。
【００３０】
図５は、前記実施形態によるハンディターミナル用接続具に備わるねじ止め部材の構成を示す図であり、図５（Ａ）は、ねじ止め部材の斜視分解組立図、図５（Ｂ）は、一対のねじ止め部材を対向配置した状態図である。
【００３１】
（ねじ止め部材の構成）
次に、ねじ止め部材２の構成を説明する。図４又は図５を参照すると、ねじ止め部材２は、ねじ部材２ａと円柱状のゴム部材２ｂを備えている。ねじ部材２ａは、その雄ねじ部を雌ねじ部材１ｄに螺合できる。又、ねじ部材２ａは、マイナス溝２１ａを頭部にしている。マイナスドライバーを用いて、ねじ部材２ａを一方の方向に回転すると、ハンディターミナル７の側面、又は変換ボックス８の側面に向かって、ゴム部材２ｂを進出できる。一方、マイナスドライバーを用いて、ねじ部材２ａを他方の方向に回転すると、ハンディターミナル７の側面、又は変換ボックス８の側面からゴム部材２ｂを離反できる。
【００３２】
図４又は図５を参照すると、ねじ止め部材２は、小径のワッシャ２ｃ、大径のワッシャ２ｄ及びＥリング２ｅを備えている。ワッシャ２ｃは、ゴム部材２ｂの一方の面に穿設された穴２ｈの底面に取り付けている。ワッシャ２ｄは、ゴム部材２ｂの他方の面に取り付けている。Ｅリング２ｅは、ねじ部材２ａに設けた輪帯溝２２ａに外周方向から押し込むことで（図５（Ａ）参照）、ねじ部材２ａに嵌合できる。
【００３３】
図５（Ａ）を参照すると、ねじ部材２ａは、そのねじ部より直径の大きい段付き部２３ａを先端部に設けている。ワッシャ２ｃ及びワッシャ２ｄをゴム部材２ｂに取り付けた状態で、マイナス溝２１ａ側を先頭にしてねじ部材２ａを穴２ｈに挿通し、Ｅリング２ｅを取り付けることで、段付き部２３ａとＥリング２ｅとで、ゴム部材２ｂを挟持できる（図４（Ａ）参照）。
【００３４】
図４又は図５を参照すると、このように、ねじ止め部材２は、ねじ部材２ａに対して軸方向にゴム部材２ｂの移動を困難に連結しているが、ねじ部材２ａに対して円周方向に回転自在に連結している。これにより、ハンディターミナル７の側面、又は変換ボックス８の側面を傷つけることなく、ゴム部材２ｂを当接できる。
【００３５】
［ハンディターミナル用接続具の作用］
次に、実施形態による接続具１０の操作方法を説明しながら、接続具１０の作用及び効果を説明する。
【００３６】
図１又は図２を参照すると、実施形態によるハンディターミナル７は、その外形寸法が約１９ｃｍ（縦）×約８．５ｃｍ（横）×約３．５ｃｍ（厚さ）になっている。一方、実施形態による変換ボックス８は、その外形寸法が約１３．５ｃｍ（縦）×約９ｃｍ（横）×約３．５ｃｍ（厚さ）になっている。
【００３７】
図１から図３を参照して、最初に、変換ボックス８に対応する一対のゴム部材２ｂ・２ｂの間隔を十分に拡げ、変換ボックス８の上部側をケース１に収容する。次に、変換ボックス８に対応する一対のゴム部材２ｂ・２ｂが互いに近づくように、複数のねじ部材２ａを一方の方向に順次回転する。これにより、一対のゴム部材２ｂ・２ｂで変換ボックス８の両側面を挟持できる。
【００３８】
次に、図１から図３を参照して、最初に、ハンディターミナル７に対応する一対のゴム部材２ｂ・２ｂの間隔を十分に拡げ、ハンディターミナル７の下部側をケース１に収容する。次に、ハンディターミナル７に対応する一対のゴム部材２ｂ・２ｂが互いに近づくように、複数のねじ部材２ａを一方の方向に順次回転する。これにより、一対のゴム部材２ｂ・２ｂでハンディターミナル７の両側面を挟持できる。なお、ハンディターミナル７を先にケース１に取り付け、後に変換ボックス８をケース１に取り付けてもよい。
【００３９】
次に、図１を参照して、グリップバンド３に一方の片手を挿通し、ケース１を把持すると、ケース１に変換ボックス８を固定した状態で、他方の片手で操作部７２に設置したボタンを操作できる。
【００４０】
実施形態による接続具１０は、ハンディターミナル７と変換ボックス８とを長手方向に連設すると共に、ハンディターミナル７と変換ボックス８をＣ型チャンネル状のケース１に厚さ方向から部分的に収容し、ハンディターミナル７と変換ボックス８をケース１の側面からねじ止めすることで、ハンディターミナル７と変換ボックス８を一体化でき、変換ボックス８の落下を防止できると共に、ハンディターミナル７の操作が容易になる。
【００４１】
又、実施形態による接続具１０は、ハンディターミナル７の側面、又は変換ボックス８の側面を傷つけることなく、複数のゴム部材２ｂを当接して、ハンディターミナル７及び変換ボックス８をケース１に固定できる。
【００４２】
本発明によるハンディターミナル用接続具は、次のような効果が期待される。
（ア）変換ボックスの落下を防止できると共に、変換ボックスの落下に起因した故障又は損傷を防止できる。
（イ）ハンディターミナルと変換ボックスをケースに一体化することで、ハンディターミナルの操作が容易になる。
（ウ）ハンディターミナルと変換ボックスをケースに一体化することで、ケーブル接続が外れること防止できる。
【００４３】
本発明は、変換ボックスを介して、計量器にケーブル接続するハンディターミナルと変換ボックスを着脱自在に接続するハンディターミナル用変換ボックスを介して、計量器にケーブル接続するハンディターミナルと変換ボックスを着脱自在に接続するハンディターミナル用接続具を開示したが、本発明の接続具は、ハンディターミナルと変換ボックスに限定されることなく、他の電子筐体にも応用されることが期待される。
【符号の説明】
【００４４】
１  ケース
２  ねじ止め部材
３  グリップバンド
７  ハンディターミナル
８  変換ボックス
９  計量器（電力需給用複合計器）
１０  接続具（ハンディターミナル用接続具）
７１  筐体（ハンディターミナルの筐体）
７２  操作部
７３  表示部
【図１】
2014224721.tif 000003
【図２】
2014224721.tif 000004
【図３】
2014224721.tif 000005
【図４】
2014224721.tif 000006
【図５】
2014224721.tif 000007
【図６】
2014224721.tif 000008